(57)【要約】【課題】液晶を含む層を備えるプロジェクションスクリーンにおいて、より広い視野角にて画像を視認されやすくすることを可能としたプロジェクションスクリーン、および、画像表示システムを提供する。【解決手段】プロジェクションスクリーン１０は、一対の透明導電層１１と、一対の透明導電層１１に挟まれるとともに、表面１２Ｆと裏面１２Ｒとを含む調光層１２とを備える。調光層１２は、複数のドメイン１２ｃを有した三次元の網目状を有するポリマーネットワーク１２ａと、ドメイン１２ｃ内に位置する液晶分子１２ｂとを含み、一対の透明導電層１１を介して調光層１２に印加される電圧の大きさが変わることによって、光を散乱する第１状態と、光を透過する第２状態との間で変わるとともに、第１状態において裏面１２Ｒから入射した光を拡散して、表面１２Ｆから散乱光を射出する。【選択図】図１
2017223950.tif 000002
【特許請求の範囲】
【請求項１】
一対の透明導電層と、
前記一対の透明導電層に挟まれるとともに、表面と裏面とを含む調光層と、を備え、
前記調光層は、複数のドメインを有した三次元の網目状を有するポリマーネットワークと、前記ドメイン内に位置する液晶分子とを含み、前記一対の透明導電層を介して前記調光層に印加される電圧の大きさが変わることによって、光を散乱する第１状態と、光を透過する第２状態との間で変わるとともに、前記第１状態において前記裏面から入射した光を拡散して、前記表面から散乱光を射出する
プロジェクションスクリーン。
【請求項２】
前記ポリマーネットワークのドメイン径における平均値が０．１μｍ以上３μｍ以下である
請求項１に記載のプロジェクションスクリーン。
【請求項３】
前記調光層が前記第１状態であるとき、
前記調光層の全光線透過率が、５０％以上であり、
前記調光層のヘイズが、９５％以上である
請求項２に記載のプロジェクションスクリーン。
【請求項４】
前記調光層の厚さは、５μｍ以上５０μｍ以下である
請求項１から３のいずれか一項に記載のプロジェクションスクリーン。
【請求項５】
前記調光層において、前記ドメインの密度が２×１０７個／ｍｍ３以上２×１０１２個／ｍｍ３以下である
請求項１から４のいずれか一項に記載のプロジェクションスクリーン。
【請求項６】
前記プロジェクションスクリーンは、表面と裏面とを含み、
前記プロジェクションスクリーンの厚さ方向において、前記プロジェクションスクリーンの前記表面、前記調光層の前記表面、前記調光層の前記裏面、および、前記プロジェクションスクリーンの前記裏面がこの順に並び、
前記プロジェクションスクリーンの前記表面に直交する鉛直面が視野基準面であり、
観察者が前記プロジェクションスクリーンを視認する方向を含む鉛直面が観察面であり、
前記視野基準面と前記観察面とが形成する角度が視野角であり、
前記観察者が前記視野基準面に対する一方側から前記プロジェクションスクリーンを視認するとき、前記視野角は負の値であり、前記観察者が前記視野基準面に対する他方側から前記プロジェクションスクリーンを視認するとき、前記視野角は正の値であり、
前記プロジェクションスクリーンの前記裏面に直交する水平面が投影基準面であり、
プロジェクターが前記プロジェクションスクリーンの裏面に光を投影する方向を含む平面が投影面であり、
前記投影基準面と前記投影面とが形成する角度が投影角であり、
前記プロジェクションスクリーンの前記表面の輝度において、前記視野角が５°であるときの輝度で規格化された輝度が規格化輝度であり、
前記プロジェクションスクリーンは、前記投影角が０°であるとき、前記視野角における前記規格化輝度の半値角が±２２°であり、前記規格化輝度の１／３角が±３０．５°であるように構成されている
請求項１から５のいずれか一項に記載のプロジェクションスクリーン。
【請求項７】
表面と裏面とを含むシート状を有するとともに、調光層を備えるプロジェクションスクリーンと、
前記プロジェクションスクリーンの前記裏面に光を投射するプロジェクターと、
前記調光層に電圧を印加する電圧印加部と、
前記プロジェクターの駆動と前記電圧印加部の駆動とを制御する制御部と、を備える画像表示システムであって、
前記プロジェクションスクリーンは、請求項１から６のいずれか一項に記載のプロジェクションスクリーンであり、
前記プロジェクションスクリーンの厚さ方向において、前記プロジェクションスクリーンの前記表面、前記調光層の前記表面、前記調光層の前記裏面、および、前記プロジェクションスクリーンの前記裏面がこの順に並び、
前記制御部は、前記電圧印加部に前記調光層を前記第１状態にさせた状態で、前記プロジェクターに前記プロジェクションスクリーンの前記裏面に光を投射させることによって、前記プロジェクションスクリーンに前記プロジェクションスクリーンの前記表面から散乱光を射出させる
画像表示システム。
【請求項８】
前記プロジェクションスクリーンは、一対の配向層をさらに備え、
前記一対の配向層のうち、一方の配向層は、前記調光層の前記表面と前記透明導電層との間に位置するとともに、他方の配向層は、前記調光層の前記裏面と前記透明導電層との間に位置し、
前記電圧印加部は、前記調光層に交流電圧を印加し、
前記制御部は、前記プロジェクターにおけるフレームの周期と、前記電圧印加部における前記交流電圧の周期とが互いに異なるように、前記プロジェクターの駆動と前記電圧印加部の駆動とを制御する
請求項７に記載の画像表示システム。
【発明の詳細な説明】
【技術分野】
【０００１】
本発明は、プロジェクションスクリーン、および、プロジェクションスクリーンを備える画像表示システムに関する。
【背景技術】
【０００２】
プロジェクターなどによりスクリーン上に画像を表示するシステムとして、透過型の画像表示システム、および、反射型の画像表示システムが知られている。画像表示システムには、筐体、プロジェクター、および、スクリーンを備え、筐体内にプロジェクターが位置し、かつ、筐体の壁面にスクリーンが位置するプロジェクションテレビ、および、プロジェクターとスクリーンとが個別に移動することが可能な表示システムが含まれる。このうち、プロジェクションテレビで採用されるスクリーンには、レンチキュラーシート、および、フレネルレンズシートなどのレンズシートが知られている。
【０００３】
こうしたレンズシートには、樹脂中に、樹脂が有する屈折率とは異なる屈折率を有した微粒子を分散させた光拡散シートが採用されている。光拡散シートは、プロジェクターから投射される光を光拡散シートの１つの面で結像し、かつ、所定の範囲に出射する（例えば、特許文献１参照）。
【０００４】
レンズシートを用いたスクリーンに代えて、透過状態、言い換えれば透明の状態と、散乱状態、言い換えれば不透明の状態とを切り替えることが可能なスクリーンを用い、スクリーンが散乱状態であるときに、光を投影させて画像を表示する透過型の画像表示システムも知られている。こうした画像表示システムを用いれば、スクリーンに画像を投影しないときには、スクリーンを透明な状態とすることができる。このようなスクリーンとして、液晶層により透過状態と散乱状態とを切り替えることが可能なスクリーンが知られている。
【０００５】
液晶層により透過状態と散乱状態とを切り替えるスクリーンとしては、高分子中に液晶を分散させた高分子分散型液晶（Polymer Dispersed Liquid Crystal：ＰＤＬＣ）から形成された液晶層を有するスクリーンも知られている（例えば、特許文献２参照）。高分子分散型液晶は、孤立した多数の空隙を高分子層のなかに備え、高分子層に分散した各空隙のなかに液晶分子が位置している（例えば、特許文献３参照）。
【０００６】
このスクリーンでは、液晶の屈折率と高分子の屈折率との差を利用して、透過状態と散乱状態とを切り替えている。このスクリーンにおいて、液晶分子を配向させる配向膜を有しないスクリーンの形態がノーマルタイプであり、配向膜を有するスクリーンの形態がリバースタイプである。ノーマルタイプでは、液晶層に電場を印加することによって液晶層が透過状態となり、液晶層に電場を印加しないことにより液晶層が散乱状態となる。これに対して、リバースタイプでは、液晶層に電場を印加しないことにより液晶層が透過状態となり、液晶層に電場を印加することにより液晶層が散乱状態となる。
【先行技術文献】
【特許文献】
【０００７】
【特許文献１】特開２００３−１９５４２２号公報
【特許文献２】特開平１０−３６３１７号公報
【特許文献３】特開２０１３−７６９５６号公報
【発明の概要】
【発明が解決しようとする課題】
【０００８】
ところで、スクリーンにおいて、観察者の観察する面が表面であり、表面に直交する鉛直面を基準面に設定し、観察者の視線を含む鉛直面を観察面に設定するとき、基準面と観察面とが形成する角度が視野角であり、例えば、表面の法線方向から観察者がスクリーンを観察しているとき、視野角は０°である。
【０００９】
透過型の画像表示システムが備えるスクリーンでは、観察者がスクリーンを観察する位置が変わることによって、観察者の視認することができる画像が変わる。これを抑える上で、スクリーンに対してプロジェクターが位置する側とは反対側において、観察者が画像を視認することができる範囲は広いことが好ましい。上述した液晶を含む層を備えるスクリーンが採用された画像表示システムでも、より広い視野角にて画像を視認しやすくすることが求められている。
【００１０】
本発明は、液晶を含む層を備えるプロジェクションスクリーンにおいて、より広い視野角にて画像を視認されやすくすることを可能としたプロジェクションスクリーン、および、画像表示システムを提供することを目的とする。
【課題を解決するための手段】
【００１１】
上記課題を解決するためのプロジェクションスクリーンは、一対の透明導電層と、前記一対の透明導電層に挟まれるとともに、表面と裏面とを含む調光層と、を備え、前記調光層は、複数のドメインを有した三次元の網目状を有するポリマーネットワークと、前記ドメイン内に位置する液晶分子とを含み、前記一対の透明導電層を介して前記調光層に印加される電圧の大きさが変わることによって、光を散乱する第１状態と、光を透過する第２状態との間で変わるとともに、前記第１状態において前記裏面から入射した光を拡散して、前記表面から散乱光を射出する。
【００１２】
上記課題を解決するための画像表示システムは、表面と裏面とを含むシート状を有するとともに、調光層を備えるプロジェクションスクリーンと、前記プロジェクションスクリーンの前記裏面に光を投射するプロジェクターと、前記調光層に電圧を印加する電圧印加部と、前記プロジェクターの駆動と前記電圧印加部の駆動とを制御する制御部と、を備える画像表示システムである。前記プロジェクションスクリーンは、上記プロジェクションスクリーンであり、前記プロジェクションスクリーンの厚さ方向において、前記プロジェクションスクリーンの前記表面、前記調光層の前記表面、前記調光層の前記裏面、および、前記プロジェクションスクリーンの前記裏面がこの順に並び、前記制御部は、前記電圧印加部に前記調光層を前記第１状態にさせた状態で、前記プロジェクターに前記プロジェクションスクリーンの前記裏面に光を投射させることによって、前記プロジェクションスクリーンに前記プロジェクションスクリーンの前記表面から散乱光を射出させる。
【００１３】
上記構成によれば、調光層の全体に張り巡らされたポリマーネットワーク内に液晶分子が位置している。そのため、調光層の面内において、ポリマーネットワークによる光の散乱と、液晶分子による光の散乱とにばらつきが生じにくく、また、調光層の表面の全体から散乱光が射出されやすい。このように、調光層の表面から射出される散乱光に偏りが生じにくいため、プロジェクションスクリーンに対する視野角が変わったとしても、観察者に向けて射出される光の光量が小さくなりにくい。結果として、プロジェクションスクリーンによれば、より広い視野角にて画像を視認されやすくすることができる。
【００１４】
上記プロジェクションスクリーンにおいて、前記ポリマーネットワークのドメイン径における平均値が０．１μｍ以上３μｍ以下であることが好ましい。
【００１５】
上記構成によれば、可視光の波長領域に含まれる光が、波長に関わらずほぼ同程度に散乱されるため、白色を有した光を散乱光として射出することができ、また、ドメイン径が３μｍよりも大きい構成と比べて、散乱光の散乱角が小さくなることが抑えられる。
【００１６】
上記プロジェクションスクリーンにおいて、前記調光層が前記第１状態であるとき、前記調光層の全光線透過率が、５０％以上であり、前記調光層のヘイズが、９５％以上であることが好ましい。
【００１７】
上記構成によれば、ドメイン径が０．１μｍ以上３μｍ以下である調光層において、全光線透過率およびヘイズがそれぞれ上記の範囲に含まれることによって、プロジェクションスクリーンの視野角が広がりやすくなる。
【００１８】
上記プロジェクションスクリーンにおいて、前記調光層の厚さは、５μｍ以上５０μｍ以下であることが好ましい。
【００１９】
上記構成によれば、調光層の厚さが５μｍ以上であることによって、調光層の裏面から調光層に入射した光が、調光層の表面から射出されるまでの間に、調光層の表面内における明度のばらつきが抑えられる程度に散乱される。また、調光層の厚さが５０μｍ以下であることによって、調光層の裏面から表面に向けて調光層を透過する光の光量が小さくなることが抑えられ、ひいては、観察者の視認する画像の明度が低くなることが抑えられる。
【００２０】
上記プロジェクションスクリーンにおいて、前記調光層において、前記ドメインの密度が２×１０７個／ｍｍ３以上２×１０１２個／ｍｍ３以下であることが好ましい。
【００２１】
上記構成によれば、ドメインの密度が２×１０７個／ｍｍ３以上であることによって、調光層の裏面から調光層に入射した光が調光層のなかで散乱されやすくなり、これにより、調光層の表面内における明度のばらつきが抑えられる。また、ドメインの密度が２×１０１２個／ｍｍ３以下であることによって、ドメインの密度が高すぎるために調光層の裏面から表面に向けて透過する光の光量が小さくなることが抑えられ、ひいては、観察者の視認する画像の明度が低くなることが抑えられる。
【００２２】
上記プロジェクションスクリーンにおいて、前記プロジェクションスクリーンは、表面と裏面とを含み、前記プロジェクションスクリーンの厚さ方向において、前記プロジェクションスクリーンの前記表面、前記調光層の前記表面、前記調光層の前記裏面、および、前記プロジェクションスクリーンの前記裏面がこの順に並ぶ。前記プロジェクションスクリーンの前記表面に直交する鉛直面が視野基準面であり、観察者が前記プロジェクションスクリーンを視認する方向を含む鉛直面が観察面であり、前記視野基準面と前記観察面とが形成する角度が視野角であり、前記観察者が前記視野基準面に対する一方側から前記プロジェクションスクリーンを視認するとき、前記視野角は負の値であり、前記観察者が前記視野基準面に対する他方側から前記プロジェクションスクリーンを視認するとき、前記視野角は正の値であり、前記プロジェクションスクリーンの前記裏面に直交する水平面が投影基準面であり、プロジェクターが前記プロジェクションスクリーンの裏面に光を投影する方向を含む平面が投影面であり、前記投影基準面と前記投影面とが形成する角度が投影角であり、前記プロジェクションスクリーンの前記表面の輝度において、前記視野角が５°であるときの輝度で規格化された輝度が規格化輝度である。前記プロジェクションスクリーンは、前記投影角が０°であるとき、前記視野角における前記規格化輝度の半値角が±２２°であり、前記規格化輝度の１／３角が±３０．５°であるように構成されていることが好ましい。
【００２３】
上記構成によれば、半値角および１／３角の絶対値がより小さい構成と比べて、視野角の変化に伴って、プロジェクションスクリーンの表面における輝度が低くなることが抑えられる。
【００２４】
上記画像表示システムにおいて、前記プロジェクションスクリーンは、一対の配向層をさらに備え、前記一対の配向層のうち、一方の配向層は、前記表面と前記透明導電層との間に位置するとともに、他方の配向層は、前記裏面と前記透明導電層との間に位置し、前記電圧印加部は、前記調光層に交流電圧を印加し、前記制御部は、前記プロジェクターにおけるフレームの周期と、前記電圧印加部における前記交流電圧の周期とが互いに異なるように、前記プロジェクターの駆動と前記電圧印加部の駆動とを制御することが好ましい。
【００２５】
上記構成によれば、交流電圧の周期とフレームの周期とが互いに異なるため、１つのフレームに対応する光が投影されている間に交流電圧が０Ｖになる瞬間は、フレームごとに互いに異なるタイミングであることが含まれる。そのため、交流電圧の周期とフレームの周期とが互いに等しい構成と比べて、画像の品位が低くなることが抑えられる。
【発明の効果】
【００２６】
本発明によれば、液晶を含む層を備えるプロジェクションスクリーンにおいて、より広い視野角にて画像を視認されやすくすることができる。
【図面の簡単な説明】
【００２７】
【図１】プロジェクションスクリーンを具体化した一実施形態におけるプロジェクションスクリーンの第１例における断面構造を示す断面図。
【図２】プロジェクションスクリーンの第２例における断面構造を示す断面図。
【図３】画像表示システムを具体化した一実施形態における画像システムの概略構成を示すブロック図。
【図４】画像表示システムが備える電圧印加部の概略構成を示すブロック図。
【図５】プロジェクションスクリーンに対する視野角を説明するための斜視図。
【図６】プロジェクターの投影角度を説明するための斜視図。
【図７】画像表示システムの駆動方法を説明するためのタイミングチャート。
【図８】画像表示システムの作用を説明するグラフ。
【図９】実施例１および比較例１において投影角が−１５°であるときのＹ刺激値を示すグラフ。
【図１０】実施例１および比較例１において投影角が−３０°であるときのＹ刺激値を示すグラフ。
【図１１】実施例１および比較例１において投影角が−４５°であるときのＹ刺激値を示すグラフ。
【図１２】実施例１および比較例１において投影角が−６０°であるときのＹ刺激値を示すグラフ。
【図１３】実施例１および比較例１において投影角が０°であるときの規格化輝度を示すグラフ。
【図１４】実施例１および比較例１において投影角が−１５°であるときの規格化輝度を示すグラフ。
【図１５】実施例１および比較例１において投影角が−３０°であるときの規格化輝度を示すグラフ。
【図１６】実施例１および比較例１において投影角が−４５°であるときの規格化輝度を示すグラフ。
【図１７】実施例１および比較例１において投影角が−６０°であるときの規格化輝度を示すグラフ。
【発明を実施するための形態】
【００２８】
図１から図１７を参照して、プロジェクションスクリーンおよび画像表示システムを具体化した一実施形態を説明する。以下では、プロジェクションスクリーンの構成、プロジェクションスクリーンの形成材料、画像表示システムの構成、画像表示システムの駆動方法、プロジェクションスクリーンの作用、および、実施例を順に説明する。
【００２９】
［プロジェクションスクリーンの構成］
図１および図２を参照してプロジェクションスクリーンの構成を説明する。以下では、プロジェクションスクリーンの構成における第１例および第２例を説明する。なお、図１および図２では、図示の便宜上、調光層に含まれるポリマーネットワークおよび液晶分子の大きさが誇張されている。
【００３０】
［第１例］
図１が示すように、プロジェクションスクリーン１０は、一対の透明導電層１１と、調光層１２とを備えている。調光層１２は、一対の透明導電層１１に挟まれるとともに、表面１２Ｆと裏面１２Ｒとを含んでいる。調光層１２は、ポリマーネットワーク１２ａと、液晶分子１２ｂとを含み、ポリマーネットワーク１２ａは、互いに連なる複数のドメイン１２ｃを有した三次元の網目状を有し、液晶分子１２ｂは、ポリマーネットワーク１２ａのドメイン１２ｃ内に位置している。各ドメイン１２ｃは、ポリマーネットワーク１２ａの網目によって区画される空隙である。調光層１２は、ポリマーネットワーク型液晶（ＰＮＬＣ：polymer network liquid crystal）によって形成されている。
【００３１】
調光層１２の状態は、調光層１２に印加される電圧の大きさが変わることによって、光を散乱する第１状態と、光を透過する第２状態との間で変わる。調光層１２は、第１状態において裏面１２Ｒから入射した光を散乱して、表面１２Ｆから散乱光を射出する。
【００３２】
第１例のプロジェクションスクリーン１０では、調光層１２がＰＮＬＣから形成されているため、調光層１２の全体に張り巡らされたポリマーネットワーク１２ａ内に液晶分子１２ｂが位置している。そのため、調光層１２の面内において、ポリマーネットワーク１２ａによる光の散乱と、液晶分子１２ｂによる光の散乱とにばらつきが生じにくく、また、調光層１２の表面１２Ｆの全体から散乱光が射出されやすい。このように、調光層１２の表面１２Ｆから射出される散乱光に偏りが生じにくいため、プロジェクションスクリーン１０に対する視野角が変わったとしても、観察者に向けて射出される光の光量が小さくなりにくい。結果として、プロジェクションスクリーン１０によれば、より広い視野角にて画像を視認されやすくすることができる。
【００３３】
例えば、調光層１２に電圧が印加されていないとき、調光層１２の状態は第１状態である。調光層１２に電圧が印加されていないときには、複数の液晶分子１２ｂは、各液晶分子１２ｂが位置するドメイン１２ｃのなかで不規則に並んでいる。これにより、表面１２Ｆから裏面１２Ｒに向けて、および、裏面１２Ｒから表面１２Ｆに向けて、調光層１２のなかを光が通りにくくなる。結果として、調光層１２に電圧が印加されたときと比べて、調光層１２におけるヘイズの値が大きくなる。
【００３４】
これに対して、調光層１２に所定の大きさの電圧が印加されたとき、調光層１２の状態は第２状態である。調光層１２に電圧が印加されたときには、複数の液晶分子１２ｂにおける少なくとも一部において、液晶分子１２ｂの延びる方向、言い換えれば長手方向が、表面１２Ｆおよび裏面１２Ｒと交差する１つの方向、例えば表面１２Ｆおよび裏面１２Ｒの法線方向に沿うように、液晶分子１２ｂが並ぶ。これにより、表面１２Ｆから裏面１２Ｒに向けて、および、裏面１２Ｒから表面１２Ｆに向けて、調光層１２のなかを光が通りやすくなる。結果として、調光層１２に電圧が印加されないときと比べて、調光層１２におけるヘイズの値が小さくなる。
【００３５】
このように、調光層１２に電圧が印加されていないときに調光層１２のヘイズの値が相対的に大きく、かつ、調光層１２に電圧が印加されているときに調光層１２のヘイズの値が相対的に小さい調光層１２が、ノーマルタイプの調光層１２である。
【００３６】
なお、調光層１２が取り得るヘイズの値は、第１状態に対応する第１の値と、第２状態に対応する第２の値とのみであってもよいし、調光層１２は、印加される電圧の大きさに応じて、ヘイズにおける最大値と最小値との間に挟まれる中間値を取り得ることが可能な構成でもよい。また、調光層１２が、少なくとも１つの中間値を取り得ることが可能な構成であるときには、この中間値が、調光層１２における第１状態に対応するヘイズの値であってもよいし、第２状態に対応するヘイズの値であってもよい。
【００３７】
調光層１２の表面１２Ｆ、および、調光層１２の裏面１２Ｒにおいて、ポリマーネットワーク１２ａに含まれる各ドメイン１２ｃが占める領域における最大長が、そのドメイン１２ｃのドメイン径Ｄである。各ドメイン１２ｃが占める領域における最大長は、そのドメイン１２ｃの重心を通る直線のなかで最大の長さを有する直線の長さである。ドメイン径Ｄの平均値は例えば０．１μｍ以上３μｍ以下であり、好ましくは０．２μｍ以上２μｍ以下であり、より好ましくは約１μｍである。
【００３８】
ドメイン径Ｄの平均値が０．１μｍ以上３μｍ以下であることによって、ドメイン１２ｃの大きさが可視光の波長にほぼ等しいドメイン１２ｃを調光層１２が含みやすいため、可視光の波長領域に含まれる光が、波長にかかわらずほぼ同程度に散乱される。そのため、白色を有した光を散乱光として射出することができる。また、ドメイン径Ｄが３μｍよりも大きい構成と比べて、ポリマーネットワーク１２ａによって散乱された光の散乱角が小さくなることが抑えられる。また、ドメイン径Ｄの平均値が１μｍ以下、例えば２００ｎｍ以上８００ｎｍ以下であれば、光の進行方向に散乱される光成分が他の方向に散乱される光成分に対して大きくなりすぎないため、調光層１２の表面における輝度のばらつきをさらに抑えることができる。
【００３９】
なお、調光層１２において、ドメイン径Ｄの最頻値が、０．１μｍ以上３μｍ以下の範囲に含まれることが好ましい。また、ドメイン径Ｄの最小値および最大値の両方が、０．１μｍ以上３μｍ以下に含まれることが好ましい。
【００４０】
ポリマーネットワーク１２ａにおいて、単位体積当たりのポリマーネットワーク１２ａが区画するドメイン１２ｃの個数が、調光層１２におけるドメイン１２ｃの密度であるドメイン密度である。ドメイン密度は、２×１０７個／ｍｍ３以上２×１０１２個／ｍｍ３以下であることが好ましい。ポリマーネットワーク１２ａのドメイン密度は、調光層１２の断面構造を走査型電子顕微鏡によって撮像した画像において計数することが可能である。
【００４１】
ドメイン密度が２×１０７個／ｍｍ３以上であることによって、調光層１２の裏面１２Ｒから調光層１２に入射した光が調光層１２のなかで多重散乱されやすくなり、これにより、調光層１２の表面１２Ｆの面内における輝度のばらつきが抑えられる。ドメイン密度が２×１０１２個／ｍｍ３以下であることによって、ドメイン密度が高すぎるために調光層１２の裏面１２Ｒから表面１２Ｆに向けて透過する光の光量が小さくなることが抑えられ、ひいては、観察者の視認する画像の明度が低くなることが抑えられる。
【００４２】
ＰＮＬＣにおいて、液晶分子１２ｂを駆動するための交流電圧の大きさは、ポリマーネットワーク１２ａの構造における特性に依存している。より詳しくは、液晶分子１２ｂを駆動するための交流電圧の大きさは、ドメイン１２ｃの大きさ、ドメイン１２ｃの形状、すなわちドメイン１２ｃを区画する網目の形状、および、ポリマーネットワーク１２ａの厚さなどに依存している。また、液晶分子１２ｂを駆動するための交流電圧の大きさは、調光層１２において所望とする光の透過と散乱とが実現されるように設定される。
【００４３】
交流電圧の実効値が１００Ｖ以下である範囲において、プロジェクションスクリーン１０として十分な光の透過と散乱とを実現する上では、複数のドメイン１２ｃにおいて、大きさが適正かつ均一であることが好ましく、また、ドメイン１２ｃの形状も互いに等しいことが好ましい。
【００４４】
この点で、上述したように、ドメイン径Ｄの平均値は０．１μｍ以上３μｍ以下であることが好ましい。また、ドメイン径Ｄの平均値が０．１μｍ以上３μｍ以下であり、かつ、ドメイン密度が２×１０７個／ｍｍ３以上２×１０１２個／ｍｍ３であれば、ドメイン１２ｃ間での大きさのばらつきが抑えられた網目状のポリマーネットワーク１２ａが、第１状態での光の透過と散乱とを両立させることが可能になる。
【００４５】
調光層１２の厚さＴは、５μｍ以上５０μｍ以下であることが好ましく、１０μｍ以上２５μｍ以下であることがより好ましい。調光層１２の厚さＴが５μｍ以上であることによって、調光層１２の裏面１２Ｒから調光層１２に入射した光が、調光層１２の表面１２Ｆから射出されるまでの間に、調光層１２の表面１２Ｆの面内における輝度のばらつきが抑えられる程度に散乱される。調光層１２の厚さが５０μｍ以下であることによって、調光層１２の裏面１２Ｒから表面１２Ｆに向けて調光層１２を透過する光の光量が小さくなることが抑えられ、ひいては、観察者の視認する画像の明度が低くなることが抑えられる。
【００４６】
調光層１２が第１状態であるとき、調光層１２の全光線透過率が、５０％以上であり、前記調光層のヘイズが、９５％以上であることが好ましい。調光層１２の全光線透過率は、７３％以上であることがより好ましい。ドメイン径Ｄが０．１μｍ以上３μｍ以下である調光層１２の全光線透過率およびヘイズがそれぞれ上述の値の範囲に含まれることによって、プロジェクションスクリーン１０の視野角が広がりやすくなる。
【００４７】
なお、各層の全光線透過率は、ＪＩＳ  Ｋ  ７３６１−１（ＩＳＯ  １３４６８−１）に準拠する方法によって測定することができる。また、各層のヘイズは、ＪＩＳ  Ｋ  ７１３６（ＩＳＯ  １４７８２）に準拠する方法によって測定することができる。
【００４８】
透明導電層１１は、光を透過するとともに、調光層１２に電圧を印加する。透明導電層１１は、調光層１２の表面１２Ｆと裏面１２Ｒとに１つずつ位置している。２つの透明導電層１１のうち、調光層１２の表面１２Ｆに位置する透明導電層１１が第１透明導電層１１ａであり、調光層１２の裏面１２Ｒに位置する透明導電層１１が第２透明導電層１１ｂである。
【００４９】
透明導電層１１の全光線透過率は、調光層１２が第２状態であるときの調光層１２の全光線透過率よりも高いことが好ましい。これにより、プロジェクションスクリーン１０の全光線透過率が、調光層１２の全光線透過率よりも低くなることが抑えられる。
【００５０】
プロジェクションスクリーン１０は、さらに一対の透明基材１３を備え、一対の透明基材１３は、プロジェクションスクリーン１０の厚さ方向において、一対の透明導電層１１を間に挟んでいる。一対の透明基材１３は第１透明基材１３ａおよび第２透明基材１３ｂから構成され、第１透明基材１３ａは、第１透明導電層１１ａのうち、調光層１２の表面１２Ｆに接する面とは反対側の面に位置し、第２透明基材１３ｂは、第２透明導電層１１ｂのうち、調光層１２の裏面１２Ｒに接する面とは反対側の面に位置している。第１透明基材１３ａと第１透明導電層１１ａとが第１導電フィルム１４ａを構成し、第２透明基材１３ｂと第２透明導電層１１ｂとが第２導電フィルム１４ｂを構成している。一対の透明基材１３は光透過性を有し、各透明基材１３の形成材料は各種の樹脂であればよい。
【００５１】
透明基材１３の全光線透過率は、調光層１２が第２状態であるときの調光層１２の全光線透過率よりも高いことが好ましい。これにより、プロジェクションスクリーン１０の全光線透過率が、調光層１２の全光線透過率よりも低くなることが抑えられる。透明基材１３の厚さは、５０μｍ以上２００μｍ以下であることが好ましい。
【００５２】
透明基材１３には、可撓性を有した樹脂フィルムを用いることも可能である。透明基材１３が可撓性を有することによって、プロジェクションスクリーン１０も可撓性を有する。こうしたプロジェクションスクリーン１０は、ガラスなどの平坦な部材に積層する以外に、曲面形状を含む部材への適用が可能であり、また、プロジェクションスクリーン１０を巻き取った状態で収納することが可能である。このように、可撓性を有するプロジェクションスクリーン１０によれば、取扱いの自由度が高まる。
【００５３】
第１透明基材１３ａのなかで、調光層１２の表面１２Ｆに接する面とは反対側の面がプロジェクションスクリーン１０の表面１０Ｆであり、第２透明基材１３ｂのなかで、調光層１２の裏面１２Ｒに接する面とは反対側の面がプロジェクションスクリーン１０の裏面１０Ｒである。プロジェクションスクリーン１０の厚さ方向において、プロジェクションスクリーン１０の表面１０Ｆ、調光層１２の表面１２Ｆ、調光層１２の裏面１２Ｒ、および、プロジェクションスクリーン１０の裏面１０Ｒが、記載の順に並んでいる。
【００５４】
［第２例］
図２が示すように、プロジェクションスクリーン２０は、一対の透明導電層１１、調光層１２、および、一対の透明基材１３に加えて、一対の配向層２１をさらに備えている。一対の配向層２１のうち、一方の配向層２１は、調光層１２の表面１２Ｆと第１透明導電層１１ａとの間に位置する第１配向層２１ａであり、他方の配向層２１は、調光層１２の裏面１２Ｒと第２透明導電層１１ｂとの間に位置する第２配向層２１ｂである。
【００５５】
各配向層２１は垂直配向膜であり、液晶分子１２ｂの延びる方向が、配向層２１が広がる平面の法線方向に沿うように、各液晶分子１２ｂを配向する。そのため、調光層１２に電圧が印加されていないとき、調光層１２の状態は第２状態である。調光層１２に電圧が印加されていないときには、複数の液晶分子１２ｂは、各液晶分子１２ｂが位置するドメイン１２ｃのなかで、各液晶分子１２ｂの延びる方向が、配向層２１が広がる平面の法線方向に沿うように、すなわち調光層１２の表面１２Ｆおよび裏面１２Ｒの法線方向に沿うように並ぶ。
【００５６】
これにより、表面１２Ｆから裏面１２Ｒに向けて、および、裏面１２Ｒから表面１２Ｆに向けて、調光層１２のなかを光が通りやすくなる。結果として、調光層１２に電圧が印加されたときと比べて、調光層１２におけるヘイズの値が小さくなる。
【００５７】
これに対して、調光層１２に電圧が印加されているとき、調光層１２の状態は第１状態である。調光層１２に電圧が印加されているときには、複数の液晶分子１２ｂは、各液晶分子１２ｂが位置するドメイン１２ｃのなかで不規則に並んでいる。これにより、表面１２Ｆから裏面１２Ｒに向けて、および、裏面１２Ｒから表面１２Ｆに向けて、調光層１２のなかを光が通りにくくなる。結果として、調光層１２に電圧が印加されていないときと比べて、調光層１２におけるヘイズの値が大きくなる。
【００５８】
このように、調光層１２に電圧が印加されているときに調光層１２のヘイズの値が相対的に大きく、かつ、調光層１２に電圧が印加されていないときに調光層１２のヘイズの値が相対的に小さい調光層１２が、リバースタイプの調光層である。なお、リバースタイプの調光層１２は、上述したように、調光層１２と、調光層１２を挟む一対の配向層２１とによって具体化される。
【００５９】
第１透明基材１３ａのなかで、調光層１２の表面１２Ｆに接する面とは反対側の面がプロジェクションスクリーン２０の表面２０Ｆであり、第２透明基材１３ｂのなかで、調光層１２の裏面１２Ｒに接する面とは反対側の面がプロジェクションスクリーン２０の裏面２０Ｒである。
【００６０】
第２例のプロジェクションスクリーン２０においても、第１例のプロジェクションスクリーン１０におけるドメイン径Ｄおよびドメイン密度が適用されることが好ましく、調光層１２の厚さＴ、全光線透過率、および、ヘイズが適用されることが好ましい。
【００６１】
なお、上述した特許文献２，３に加えて、特許文献４（特開平６−８２７４８号公報）では、レンズシートを用いたスクリーンに代わり、透過状態と散乱状態との間での切り替えが可能なスクリーンを用い、このスクリーンが散乱状態の場合に、光をスクリーンに投影させて、画像を表示する技術が提案されている。
【００６２】
この技術によれば、スクリーンに光を投影していないときに、スクリーンを透明な状態にすることで、スクリーンを使用していないときの空間的な圧迫感を低減することが可能である。このようなスクリーンの例として、液晶層により透過状態と散乱状態との切り替えが可能なスクリーンが提案されている。
【００６３】
なお、プロジェクションスクリーンに要求される視野角特性を制御するため、レンズシートを用いたスクリーンにおける光拡散シートの設計では、微粒子の材質、微粒子の形状、粒径、粒径の分布、微粒子と分散樹脂との屈折率の差、および、分散量などが考慮されている。微粒子の粒径は、一般に１０μｍ以下である。
【００６４】
視点を変えたときに視認される画像の明度が低下することを抑えることで、視野角を広げるための指標として、半値角言い換えればα角が用いられている。なお、α角には、水平方向での角度であるαＨ角と、垂直方向での角度であるαＶ角とが含まれる。光拡散シートは、これら角度のうちでレンズシートの特性によって制御することが難しい角度において拡散特性を補助している。スクリーンが有する面に投影する光の照度を一定とすれば、一般的に、半値角と正面輝度、すなわち視野角が０°であるときの輝度とは、おおよそ反比例する。そのため、半値角を大きくすれば、正面輝度、言い換えればスクリーンの総体的な輝度は低下する。したがって、これらの両方を高次元でバランスさせることは、非常に難しいこととされている。
【００６５】
α角の目標値は、プロジェクションスクリーンに表示される画面のサイズ、観察者の位置する範囲、および、投射距離および投影角などのプロジェクターによる投射の条件に応じて適宜設定される。例えば、α角の範囲内を視野角において適切な範囲に設定し、視野角を−４５°以上４５°以下に設定するときには、α角の目標値は、４５°以上である。
【００６６】
一般には、αＨ角を大きくすることよりも、αＶ角を大きくすることが重要とされている。なお、プロジェクションスクリーンの拡散特性として、半値角だけでなく、１／３角、１／１０角、および、１／２０角の評価が報告されることもある。１／３角はβ角とも称され、１／１０角はγ角とも称され、１／２０角はδ角とも称される。
【００６７】
特許文献２，３，４に例示される技術は、液晶層に対して電圧を印加した状態と、電圧を印加しない状態とを切り替えることによって液晶層が光を散乱する状態を変化させるため、微粒子を分散した構造を有した光拡散層の代替となる。これらの技術はいずれも、スクリーンが散乱状態の場合に光を投影することと、スクリーンが透過状態の場合に光を投影しないこととの切替えに好適な画像表示システムについての提案ではある。しかしながら、いずれの文献においても、スクリーンにおける視野角特性、および、高精細かつ高解像度の画像を投影することに対する適性については、一切考慮されていない。
【００６８】
［プロジェクションスクリーンの形成材料］
プロジェクションスクリーンを構成する各層の形成材料を説明する。
【００６９】
［調光層］
上述したように、調光層１２は、ポリマーネットワーク１２ａと、ポリマーネットワーク１２ａが有するドメイン１２ｃに位置する複数の液晶分子１２ｂとを含んでいる。ポリマーネットワーク１２ａは、高分子繊維である。ポリマーネットワーク１２ａを構成する樹脂は、熱硬化性樹脂、および、紫外線硬化性樹脂のいずれかであればよい。
【００７０】
また、調光層１２において、ポリマーネットワーク１２ａの形成材料には、極性基を有するモノマー、および、二官能モノマーが含まれることが好ましい。極性基を有するモノマー、および、二官能モノマーは、上述した樹脂とともに、熱が加えられることによって、あるいは、紫外線が照射されることによって、重合することが可能である。極性基を有するモノマーには、ヒドロキシ基、カルボキシ基、および、リン酸基から構成される群から選択される少なくとも１つの極性基を有するモノマーを用いることができる。
【００７１】
液晶分子１２ｂには、ネマティック液晶を構成する液晶分子、スメクティック液晶を構成する液晶分子、および、コレステリック液晶を構成する液晶分子のいずれかを用いることができる。
【００７２】
ポリマーネットワーク１２ａを構成する樹脂が紫外線硬化性樹脂であるときには、以下の製造方法によって調光層１２を製造することができる。まず、液晶分子１２ｂと光重合性化合物とを含む液晶組成物を、一対の透明導電層１１の間に封入する。次いで、封入された液晶組成物に対して、例えば、第１透明導電層１１ａに対して液晶組成物とは反対側、および、第２透明導電層１１ｂに対して液晶組成物とは反対側から紫外線を照射する。これにより、光重合性化合物が光重合して光重合性化合物が高分子に変化するとともに、光重合および架橋によって無数の微細なドメイン１２ｃを有するポリマーネットワーク１２ａが形成される。
【００７３】
封入された液晶組成物の両側から光を同時に照射する方法であれば、ポリマーネットワーク１２ａの厚さ方向において、光重合性化合物における重合速度のばらつきを抑えることができる。結果として、透明導電層１１の面方向、および、調光層１２の厚さ方向のいずれにおいても、ドメイン１２ｃの大きさにおけるばらつき、および、ドメイン１２ｃの形状におけるばらつきを抑えることができる。
【００７４】
なお、調光層１２の製造方法は、九州ナノテック光学株式会社による特許第４３８７９３１号に説明されている。本実施形態の調光層１２を製造するときにも、この特許文献に記載された製造方法に準拠した方法を採用することができる。この製造方法は、上述したように、ドメイン１２ｃの大きさおよび形状の制御されたポリマーネットワーク１２ａを製造する上で有効である。
【００７５】
［透明導電層］
各透明導電層１１は、光透過性を有する導電膜であればよい。透明導電層１１の形成材料には、光透過性を有し、かつ、導電性を有する金属酸化物を用いることができる。金属酸化物には、酸化インジウムスズ（ＩＴＯ）、酸化スズ（ＳｎＯ２）、および、酸化亜鉛（ＺｎＯ）などを用いることができる。
【００７６】
また、透明導電層１１の形成材料には、光透過性を有し、かつ、導電性を有する高分子である導電性ポリマーを用いることができる。導電性ポリマーには、π共役系の導電性高分子と、ポリアニオンとを含むポリマーを用いることが好ましい。こうした導電性ポリマーには、ＰＥＤＯＴ：ＰＳＳ（ポリエチレンジオキシチオフェン）を挙げることができる。
【００７７】
なお、透明導電層１１の形成材料がＩＴＯであるときには、調光層１２を透過した光が透明導電層１１に入射すると、透明導電層１１のなかで、透明導電層１１が有する結晶構造に依存した光の散乱と反射とが起こる。そのため、調光層１２から透明導電層１１に入射した光には、後方に散乱する光成分、すなわち調光層１２の裏面１２Ｒに向けて散乱する光成分が含まれる。また、調光層１２から透明導電層１１に入射した光のうちで、前方に散乱する光成分、すなわち透明導電層１１に対して調光層１２とは反対側に向けて散乱される光成分では、互いに異なる色を有した光の混色によって、光成分の色が白色になる度合が高くなる傾向を有する。
【００７８】
これに対して、透明導電層１１の形成材料がＰＥＤＯＴ：ＰＳＳであるときには、透明導電層１１の形成材料がＩＴＯであるときに比べて、後方に散乱する光成分が少ないこと、および、前方に散乱する光成分によって、プロジェクションスクリーン１０，２０に表示される画像においてコントラストが高まることが認められている。
【００７９】
なお、コントラストとは、プロジェクションスクリーン１０，２０に光が投影された状態において、プロジェクションスクリーン１０，２０のスクリーン面である表面１０Ｆ，２０Ｆでの暗輝度に対する明輝度の比である。明輝度とは表面１０Ｆ，２０Ｆにおける輝度の最大値であり、暗輝度とは表面１０Ｆ，２０Ｆにおける輝度の最小値である。
【００８０】
また、プロジェクションスクリーン１０，２０の表面１０Ｆ，２０Ｆにおけるコントラストを高めるためには、表面１０Ｆ，２０Ｆにおける明輝度を高くすることだけでなく、表面１０Ｆ，２０Ｆにおける暗輝度を低くすることもプロジェクションスクリーン１０，２０の構成として採用されている。表面１０Ｆ，２０Ｆにおける暗輝度を低くするためには、表面１０Ｆ，２０Ｆにおける色の明度を低くしてもよいし、プロジェクションスクリーン１０，２０において散乱された光が白色以外の所定の色を有するように、プロジェクションスクリーン１０，２０が構成されてもよい。
【００８１】
［透明基材］
透明基材１３には、光透過性を有する樹脂製のフィルムを用いることができる。樹脂製のフィルムの形成材料には、例えば、ポリエチレンテレフタレート、ポリエチレン、および、ポリカーボネートなどを用いることができる。
【００８２】
［配向層］
配向層２１の形成材料には、例えば、熱の照射によって硬化する樹脂、または、紫外線および電子線などの電離放射線の照射によって硬化する樹脂を用いることができる。こうした樹脂には、熱硬化性樹脂、紫外線硬化性樹脂、および、電子線硬化性樹脂を挙げることができるが、これらの中でも紫外線硬化性樹脂が配向層の形成材料として好ましい。
【００８３】
紫外線硬化性樹脂として、例えば、アクリロイル基を有する重合性のオリゴマーまたはモノマーと、ビニル基を有する重合性のオリゴマーまたはモノマーとの少なくとも１つと、光重合開始剤とを含む樹脂を挙げることができる。なお、紫外線硬化性樹脂は、光重合開始剤以外の添加剤を含んでもよい。
【００８４】
アクリロイル基を有する重合性のオリゴマーまたはモノマーには、ウレタンアクリレート、エポキシアクリレート、ポリエステルアクリレート、ポリエーテルアクリレート、および、メラミンアクリレートなどを挙げることができる。ビニル基を有する重合性のオリゴマーまたはモノマーには、アクリル酸、アクリルアミド、アクリロニトリル、および、スチレンなどを挙げることができる。
【００８５】
配向層２１は、透明導電層１１に接する面とは反対側の面に、微細な凹凸を有してもよい。配向層２１が有する微細な凹凸によって、配向層２１に位置する液晶分子１２ｂを所定の方向に配向させることができる。
【００８６】
なお、特許文献２，３，４の各々において採用される液晶は、以下の通りである。特許文献２，３では、上述したＰＤＬＣが採用され、ＰＤＬＣは、視野角に対する依存性、すなわち、プロジェクションスクリーンを視認する方向や視認する角度によって、スクリーンに表示される画像のコントラストや色が異なる性質が大きいとされている。
【００８７】
また、特許文献４では、熱硬化性樹脂または光硬化性樹脂に、ネマティック液晶、マイクロビーズ、硬化剤、および、光重合開始剤を混合することによって調製した混合物が採用されている。熱硬化性樹脂はエポキシ系樹脂などであり、光硬化性樹脂は、アクリル系樹脂、エポキシ系樹脂、および、エン・チオール系樹脂などである。また、同文献では、カプセル化した液晶を、上述の樹脂や、ポリビニルアルコール樹脂、アクリル系やウレタン系などのエマルジョン樹脂などに分散させた混合物が採用されている。
【００８８】
［画像表示システムの構成］
図３から図６を参照して画像表示システムの構成を説明する。
図３が示すように、画像表示システム３０は、プロジェクションスクリーン１０，２０、プロジェクター３１、電圧印加部３２、および、制御部３３を備えている。プロジェクションスクリーン１０，２０は、表面１０Ｆ，２０Ｆと裏面１０Ｒ，２０Ｒとを含むシート状を有するとともに、調光層１２を備えている。プロジェクター３１は、プロジェクションスクリーン１０，２０の裏面１０Ｒ，２０Ｒに光Ｌを投射する。電圧印加部３２は、調光層１２に交流電圧を印加する。
【００８９】
制御部３３は、プロジェクター３１の駆動と、電圧印加部３２の駆動とを制御する。制御部３３は、電圧印加部３２に調光層１２を第１状態にさせた状態で、プロジェクター３１にプロジェクションスクリーン１０，２０の裏面１０Ｒ，２０Ｒに光Ｌを投射させることによって、プロジェクションスクリーン１０，２０にプロジェクションスクリーン１０，２０の表面１０Ｆ，２０Ｆから散乱光を射出させる。
【００９０】
プロジェクションスクリーン１０，２０はリア投影型のスクリーンであり、プロジェクションスクリーン１０，２０に対してプロジェクター３１とは反対側が、プロジェクションスクリーン１０，２０の観察側である。プロジェクションスクリーン１０，２０の観察者ＯＢは、プロジェクションスクリーン１０，２０の表面１０Ｆ，２０Ｆから射出される散乱光を観察する。
【００９１】
制御部３３は、プロジェクター３１および電圧印加部３２に電気的に接続している。プロジェクター３１および電圧印加部３２の各々の駆動を制御するための制御信号を生成し、所定のタイミングにて、プロジェクター３１および電圧印加部３２の各々に生成した制御信号を出力する。
【００９２】
プロジェクター３１は、制御部３３が出力した制御信号を入力することによって、プロジェクションスクリーン１０，２０に向けた光Ｌの投射を開始したり終了したりする。プロジェクター３１は、単位時間当たりに所定のフレーム数だけプロジェクションスクリーン１０，２０に向けて光Ｌを投射する。プロジェクター３１のフレーム数は、例えば３０ｆｐｓ（frame per second）以上１０００ｆｐｓ以下である。
【００９３】
電圧印加部３２は、制御部３３が出力した制御信号を入力することによって、調光層１２に対する交流電圧の印加を開始したり終了したりする。電圧印加部３２が印加する交流電圧の周波数は、例えば５０Ｈｚ以上２００Ｈｚ以下であり、交流電圧の周波数には、フレームの周波数とは異なる周波数が設定されている。電圧印加部３２が印加する交流電圧は、例えば０．１Ｖ以上１００Ｖ以下である。
【００９４】
ノーマルタイプの調光層１２を含むプロジェクションスクリーン１０を画像表示システム３０が備えるときには、制御部３３は、電圧印加部３２に調光層１２への電圧の印加を行わせない状態で、プロジェクター３１にプロジェクションスクリーン１０の裏面１０Ｒに向けて光を投射させる。これにより、第１状態である調光層１２に光が入射するため、プロジェクションスクリーン１０の表面１０Ｆに散乱光による画像が表示される。
【００９５】
これに対して、リバースタイプの調光層１２を含むプロジェクションスクリーン２０を画像表示システム３０が備えるときには、制御部３３は、電圧印加部３２に調光層１２への電圧の印加を行わせることによって、調光層１２の状態を第２状態から第１状態に変える。その後、制御部３３は、プロジェクター３１にプロジェクションスクリーン２０の裏面２０Ｒに向けて光を投射させる。これにより、第１状態である調光層１２に光が入射するため、プロジェクションスクリーン２０の表面２０Ｆに散乱光による画像が表示される。
【００９６】
なお、図４は、電圧印加部３２の一例を示すブロック図である。
図４が示すように、電圧印加部３２は、スイッチ４１、変調部４２、および、交流電源４３を備えている。交流電源４３は、上述したように、調光層１２を挟む一対の透明導電層１１に、例えば５０Ｈｚ以上２００Ｈｚ以下の所定の周波数で交流電圧を印加する。スイッチ４１がオンの状態であるときに、交流電源４３の出力する交流電圧が透明導電層１１に印加され、スイッチ４１がオフの状態であるときに、交流電源４３の出力する交流電圧が透明導電層１１に印加されない。
【００９７】
制御部３３は、電圧印加部３２のなかでスイッチ４１および変調部４２に電気的に接続することによって、電圧印加部３２の駆動を制御する。
【００９８】
図５が示すように、プロジェクションスクリーン１０，２０の表面１０Ｆ，２０Ｆに直交する鉛直面が視野基準面ＢＬｓである。観察者ＯＢがプロジェクションスクリーン１０，２０を視認する方向を含む鉛直面が観察面Ｐｏｂである。視野基準面ＢＬｓと観察面Ｐｏｂとが形成する角度が視野角θｖａである。観察者ＯＢが視野基準面ＢＬｓに対する一方側からプロジェクションスクリーン１０，２０を視認するとき、視野角θｖａは負の値であり、観察者ＯＢが視野基準面ＢＬｓに対する他方側からプロジェクションスクリーン１０，２０を視認するとき、視野角θｖａは正の値である。プロジェクションスクリーン１０，２０の表面１０Ｆ，２０Ｆにおいて、視野角θｖａが５°であるときの輝度で規格化された輝度が規格化輝度である。各鉛直面は、鉛直方向ＶＤに沿って延びる平面である。
【００９９】
図６が示すように、プロジェクションスクリーン１０，２０の裏面１０Ｒ，２０Ｒに直交する水平面が投影基準面ＢＬｐである。プロジェクター３１がプロジェクションスクリーン１０，２０の裏面１０Ｒ，２０Ｒに光を投影する方向を含む平面が投影面Ｐｐｒｏである。投影基準面ＢＬｐと投影面Ｐｐｒｏとが形成する角度が投影角θｐｒｏである。投影基準面ＢＬｐよりも鉛直方向ＶＤの上側から光を投射するときの投影角θｐｒｏは正の値であり、投影基準面ＢＬｐよりも鉛直方向ＶＤの下側から光を投射するときの投影角θｐｒｏは負の値である。
【０１００】
［画像表示システムの駆動方法］
図７を参照して画像表示システム３０の駆動方法を説明する。
上述したように、第１例のプロジェクションスクリーン１０に光を投影するときには、電圧印加部３２が交流電圧を調光層１２に印加しない一方で、第２例のプロジェクションスクリーン２０に光を投影するときには、電圧印加部３２が交流電圧を調光層１２に印加する。
【０１０１】
画像表示システム３０において、制御部３３は、プロジェクター３１におけるフレームの周期と、電圧印加部３２における交流電圧の周期とが互いに異なるように、プロジェクター３１の駆動と電圧印加部３２の駆動とを制御している。
【０１０２】
ここで、図７が示すように、電圧印加部３２は調光層１２に交流電圧を印加するため、電圧印加部３２が調光層１２に印加する交流電圧の瞬間値には０Ｖが含まれる。すなわち、電圧印加部３２が調光層１２に交流電圧を印加している期間内には、電圧印加部３２が調光層１２に電圧を印加していない瞬間が含まれる。電圧印加部３２が印加する交流電圧の瞬間値が０であるときには、調光層１２の状態が第２状態である。そのため、プロジェクター３１がプロジェクションスクリーン２０に投射した光は、プロジェクションスクリーン２０にてほとんど散乱されることなく、プロジェクションスクリーン２０を透過することによって、プロジェクションスクリーン２０の表面２０Ｆから射出される。
【０１０３】
それゆえに、プロジェクションスクリーン２０の観察側には、プロジェクター３１がプロジェクションスクリーン２０に向けて投射した光の光軸に対して直交する平面にて占める面積とほぼ同じ面積を有した光しか射出されない。これにより、プロジェクションスクリーン２０の表面２０Ｆにおける一部のみが輝度の高められた状態になる。
【０１０４】
上述したように、交流電圧の周波数、すなわち交流電圧の周期である電圧周期Ｃ１は２００Ｈｚ以下であることから、交流電圧の瞬間値が０Ｖである瞬間は、最も頻度が高い場合に２．５ミリ秒に１回の頻度で生じる。プロジェクター３１のフレーム数、すなわちフレームの周期であるフレーム周期Ｃ２は、３０ｆｐｓ以上１０００ｆｐｓ以下であることから、フレームは、最も頻度が高い場合に１ミリ秒に１回の頻度でプロジェクションスクリーン２０に投影される。
【０１０５】
電圧周期Ｃ１とフレーム周期Ｃ２とが互いに等しいときには、１つのフレームに対応する光が投影されている間に、フレームごとに互いに等しいタイミングで交流電圧が０Ｖである瞬間が生じる。そのため、フレームごとに等しいタイミングでプロジェクションスクリーン２０の表面２０Ｆに観察者ＯＢに視認させるべき画像とは色味や鮮やかさが異なる画像が投影される場合がある。これに対して、電圧周期Ｃ１とフレーム周期Ｃ２とが互いに異なるときには、１つのフレームに対応する光が投影されている間に交流電圧が０Ｖになる瞬間は、フレームごとに互いに異なるタイミングであることが含まれる。そのため、電圧周期Ｃ１とフレーム周期Ｃ２とが互いに等しい構成と比べて画像の品位が低くなることが抑えられる。
【０１０６】
なお、画像表示システム３０が第１例のプロジェクションスクリーン１０を備える構成であっても、調光層１２を第１状態とするために交流電圧を印加するときには、上述した構成と同様、電圧周期Ｃ１とフレーム周期Ｃ２とを互いに異ならせることが好ましく、これにより、上述した構成と同等の効果を得ることができる。
【０１０７】
［プロジェクションスクリーンの作用］
図８を参照してプロジェクションスクリーン１０の作用を説明する。
図８は、第１例のプロジェクションスクリーン１０における光学特性の一例を示すグラフである。図８では、第１例のプロジェクションスクリーン１０における光学特性が実線で示される一方で、参考例のプロジェクションスクリーンであって、従来の調光層であるＰＤＬＣから形成された調光層を備えるプロジェクションスクリーンにおける光学特性が一点鎖線で示されている。また、図８に示されるグラフにおいて、縦軸は、各プロジェクションスクリーンの表面における透過光の強さであり、視野角θｖａが０°であるときの透過光の強さによって規格化された相対的な透過光の強度である。
【０１０８】
図８が示すように、第１例のプロジェクションスクリーン１０では、半値角、言い換えればα角が±４５°である。α角の範囲内、言い換えれば、正面からプロジェクションスクリーンを視認したときの輝度の１／２以上をスクリーンの輝度として許容される範囲に設定すると、第１例のプロジェクションスクリーン１０では、９０°が視野角θｖａにおいて適切な範囲であると言える。
【０１０９】
これに対して、参考例のプロジェクションスクリーンでは、半値角が±２０°であり、４０°が視野角θｖａにおいて適切な範囲であると言える。参考例のプロジェクションスクリーンは、視野角θｖａが０°であるときの輝度が、第１例のプロジェクションスクリーン１０と同程度であっても、プロジェクションスクリーンに対して観察者ＯＢの視点が移動することに伴う輝度の低下が、第１例のプロジェクションスクリーン１０よりも顕著である。
【０１１０】
［実施例］
図９から図１７を参照して実施例を説明する。
実施例１のプロジェクションスクリーンとして、調光層、一対の透明導電層、および、一対の透明基材が以下の構成であるプロジェクションスクリーンを準備した。調光層はＰＮＬＣによって形成され、厚さが２０μｍであり、ドメイン径の平均値が１μｍであり、ドメイン密度が１．０×１０９個／ｍｍ３であった。一対の透明導電層はそれぞれＩＴＯから形成され、厚さが５０ｎｍであった。一対の透明基材はそれぞれＰＥＴから形成され、厚さが５０μｍであった。
【０１１１】
比較例１のプロジェクションスクリーンとして、調光層、一対の透明導電層、および、一対の透明基材が以下の構成であるプロジェクションスクリーンを準備した。調光層はＰＤＬＣによって形成され、厚さが２０μｍであった。一対の透明導電層はそれぞれＩＴＯから形成され、厚さが５０ｎｍであった。一対の透明基材はそれぞれＰＥＴから形成され、厚さが１８８μｍであった。
【０１１２】
実施例１のプロジェクションスクリーンおよび比較例１のプロジェクションスクリーンの各々について、全光線透過率およびヘイズを測定した。なお、各試験例において、調光層に対して交流電圧が印加されていない状態を第１状態とし、調光層に対して交流電圧が印加され、かつ、調光層の全光線透過率が最も高い状態を第２状態とし、各状態での全光線透過率およびヘイズを測定した。
【０１１３】
全光線透過率およびヘイズの測定には、ヘイズメーター（ＮＤＨ−７０００ＳＰ、日本電色工業（株）製）を用いた。なお、全光線透過率は、ＪＩＳ  Ｋ  ７３６１−１（ＩＳＯ  １３４６８−１）に準拠する方法によって測定し、ヘイズは、ＪＩＳ  Ｋ  ７１３６（ＩＳＯ  １４７８２）に準拠する方法によって測定した。また、全光線透過率およびヘイズを測定するときの光源の投影角θｐｒｏを０°に設定し、視野角θｖａを０°に設定した。
【０１１４】
また、実施例１のプロジェクションスクリーンおよび比較例１のプロジェクションスクリーンの各々について、Ｙ刺激値を測定した。Ｙ刺激値の測定には、散乱分布測定システム（ＩＳ−ＳＡ、Radiant Vision Systems社製）を用い、光源として白色ＬＥＤ（ＰＦＢＲ−１５０ＳＷ、シーシーエス（株）製）を用いた。なお、Ｙ刺激値は、ＪＩＳ  Ｚ  ８７２２に準拠する方法によって測定した。また、Ｙ刺激値を測定するときの光源の投影角を−６０°以上０°以下に設定し、視野角θｖａを−８０°以上８０°以下に設定した。
【０１１５】
［測定結果］
［全光線透過率およびヘイズ］
実施例１のプロジェクションスクリーンにおいて、第１状態での全光線透過率が７３％であり、ヘイズが９８％であることが認められ、第２状態での全光線透過率が８３％であり、ヘイズが１２％であることが認められた。比較例１のプロジェクションスクリーンにおいて、第１状態での全光線透過率が７８％であり、ヘイズが９４％であることが認められ、第２状態での全光線透過率が７９％であり、ヘイズが１１％であることが認められた。
【０１１６】
［Ｙ刺激値］
［測定値］
Ｙ刺激値の測定結果は、図９から図１２に示す通りであった。
図９が示すように、投影角θｐｒｏが−１５°であるとき、視野角θｖａが−２０°以上２０°以下の範囲では、比較例１のＹ刺激値が、実施例１のＹ刺激値以上であることが認められた。一方で、視野角θｖａが−８０°以上−２０°未満、かつ、２０°よりも大きく８０°以下の範囲では、実施例１のＹ刺激値が、比較例１のＹ刺激値よりも大きいことが認められた。
【０１１７】
これに対して、図１０が示すように、投影角θｐｒｏが−３０°であるとき、視野角θｖａが−８０°以上８０°以下の範囲において、実施例１のＹ刺激値が、比較例１のＹ刺激値よりも大きいことが認められた。
【０１１８】
また、図１１が示すように、投影角θｐｒｏが−４５°であるとき、さらには、図１２が示すように、投影角θｐｒｏが−６０°であるときにも、視野角θｖａが−８０°以上８０°以下の範囲において、実施例１のＹ刺激値が、比較例１のＹ刺激値よりも大きいことが認められた。
【０１１９】
このように、実施例１のプロジェクションスクリーンによれば、投影角θｐｒｏが−６０°以上−３０°以下の範囲であるときに、視野角θｖａの大きさに関わらず、比較例１のプロジェクションスクリーンよりもプロジェクションスクリーンの表面における輝度が高いことが認められた。
【０１２０】
なお、画像表示システムでは、投影角θｐｒｏの絶対値が大きくなるほど、プロジェクションスクリーンの裏面とプロジェクターとの間の距離を短くすることができる。そのため、投影角θｐｒｏの絶対値が大きいプロジェクターを有する画像表示システムは、投影角θｐｒｏの絶対値がより小さい構成と比べて、画像表示システムが占める空間の大きさが小さくできる点で好ましい。上述したように、実施例１のプロジェクションスクリーンによれば、投影角θｐｒｏが−６０°以上−３０°以下の範囲において、比較例１のプロジェクションスクリーンに比べて表面における輝度が高まる。そのため、実施例１のプロジェクションスクリーンによれば、裏面とプロジェクターとの間の距離を短くしつつ、表面の輝度を高めることができる。
【０１２１】
［規格化輝度］
規格化輝度の測定結果は、図１３から図１７に示す通りであった。
上述したように、プロジェクションスクリーンの表面の輝度において、視野角θｖａが５°であるときの輝度で規格化された輝度が規格化輝度である。なお、本実施例では、表面の輝度として、Ｙ刺激値を用いた。
【０１２２】
図１３が示すように、投影角θｐｒｏが０°であるとき、視野角θｖａが−８０°以上８０°以下の範囲において、実施例１の規格化輝度が、比較例１の規格化輝度よりも大きいことが認められた。
【０１２３】
また、図１４が示すように投影角θｐｒｏが−１５°であるとき、図１５が示すように投影角θｐｒｏが−３０°であるとき、図１６が示すように投影角θｐｒｏが−４５°であるときのいずれにおいても、視野角θｖａが−８０°以上８０°以下の範囲において、実施例１の規格化輝度が、比較例１の規格化輝度よりも大きいことが認められた。
【０１２４】
これに対して、図１７が示すように、投影角θｐｒｏが−６０°であるとき、視野角θｖａが−５０°以上５０°以下の範囲では、実施例１の規格化輝度が、比較例１の規格化輝度以上であることが認められた。一方で、視野角θｖａが−８０°以上−５０°未満、および、視野角θｖａが５０°より大きく８０°以下の範囲では、比較例１の規格化輝度が、実施例１の規格化輝度よりも大きいことが認められた。
【０１２５】
このように、実施例１のプロジェクションスクリーンによれば、比較例１のプロジェクションスクリーンに比べて、視野角θｖａの変化に伴って、プロジェクションスクリーンの表面における輝度が変化することが抑えられることが認められた。
【０１２６】
［半値角および１／３角］
投影角θｐｒｏが０°であるときの規格化輝度における半値角および１／３角は、図１３に示す通りであった。
図１３が示すように、実施例１のプロジェクションスクリーンにおいて、半値角が±２２°であること、および、１／３角が±３０．５°であることが認められた。言い換えれば、視野角θｖａにおいて、表面の輝度が規格化輝度の１／２以上である範囲が、−２２°以上２２°以下の範囲であり、表面の輝度が規格化輝度の１／３以上である範囲が、−３０．５°以上３０．５°以下であることが認められた。
【０１２７】
これに対して、比較例１のプロジェクションスクリーンにおいて、半値角が±１１°であること、および、１／３角が±１４．５°であることが認められた。言い換えれば、視野角θｖａにおいて、表面の輝度が規格化輝度の１／２以上である範囲が、−１１°以上１１°以下の範囲であり、表面の輝度が規格化輝度の１／３以上である範囲が、−１４．５°以上１４．５°以下の範囲であることが認められた。
【０１２８】
また、実施例１のプロジェクションスクリーンにおいて、視野角が正の範囲および負の範囲の各々において、半値角と１／３角との差が８．５°であり、比較例１のプロジェクションスクリーンにおいて、視野角が正の範囲および負の範囲の各々において、半値角と１／３角との差が３．５°であることが認められた。
【０１２９】
このように、実施例１のプロジェクションスクリーンによれば、比較例１のプロジェクションスクリーンに比べて、視野角θｖａの変化に伴って、プロジェクションスクリーンの表面における輝度が低くなることが抑えられることが認められた。
【０１３０】
以上説明したように、プロジェクションスクリーンおよび画像表示システムの一実施形態によれば、以下に列挙する効果を得ることができる。
（１）調光層１２の全体に張り巡らされたポリマーネットワーク１２ａ内に液晶分子１２ｂが位置している。そのため、調光層１２の面内において、ポリマーネットワーク１２ａによる光の散乱と、液晶分子１２ｂによる光の散乱とにばらつきが生じにくく、また、調光層１２の表面１２Ｆの全体から散乱光が射出されやすい。このように、調光層１２の表面１２Ｆから射出される散乱光に偏りが生じにくいため、プロジェクションスクリーン１０，２０に対する視野角θｖａが変わったとしても、観察者ＯＢに向けて射出される光の光量が小さくなりにくい。結果として、プロジェクションスクリーン１０，２０によれば、より広い視野角θｖａにて画像を視認されやすくすることができる。
【０１３１】
（２）可視光の波長領域に含まれる光が、波長に関わらずほぼ同程度に散乱されるため、白色を有した光を散乱光として射出することができ、また、ドメイン径Ｄが３μｍよりも大きい構成と比べて、散乱光の散乱角が小さくなることが抑えられる。
【０１３２】
（３）ドメイン径Ｄが０．１μｍ以上３μｍ以下である調光層１２において、全光線透過率およびヘイズがそれぞれ上記の範囲に含まれることによって、プロジェクションスクリーン１０，２０の視野角θｖａが広がりやすくなる。
【０１３３】
（４）調光層１２の厚さＴが５μｍ以上であることによって、調光層１２の裏面１２Ｒから調光層１２に入射した光が、調光層１２の表面１２Ｆから射出されるまでの間に、調光層１２の表面１２Ｆ内における明度のばらつきが抑えられる程度に散乱される。また、調光層１２の厚さＴが５０μｍ以下であることによって、調光層１２の裏面１２Ｒから表面１２Ｆに向けて調光層１２を透過する光の光量が小さくなることが抑えられ、ひいては、観察者ＯＢの視認する画像の明度が低くなることが抑えられる。
【０１３４】
（５）ドメイン１２ｃの密度が２×１０７個／ｍｍ３以上であることによって、調光層１２の裏面１２Ｒから調光層１２に入射した光が調光層１２のなかで散乱されやすくなり、これにより、調光層１２の表面１２Ｆ内における輝度のばらつきが抑えられる。また、ドメイン１２ｃの密度が２×１０１２個／ｍｍ３以下であることによって、ドメイン１２ｃの密度が高すぎるために調光層１２の裏面１２Ｒから表面１２Ｆに向けて透過する光の光量が小さくなることが抑えられ、ひいては、観察者ＯＢの視認する画像の明度が低くなることが抑えられる。
【０１３５】
（６）半値角および１／３角の絶対値がより小さい構成と比べて、視野角の変化に伴って、プロジェクションスクリーン１０，２０の表面１０Ｆ，２０Ｆにおける輝度が低くなることが抑えられる。
【０１３６】
（７）電圧周期Ｃ１とフレーム周期Ｃ２とが互いに異なるため、１つのフレームに対応する光が投影されている間に交流電圧が０Ｖになる瞬間は、フレームごとに互いに異なるタイミングであることが含まれる。そのため、電圧周期Ｃ１とフレーム周期Ｃ２とが互いに等しい構成と比べて画像の品位が低くなることが抑えられる。
【０１３７】
なお、上述した実施形態は、以下のように適宜変更して実施することができる。
・電圧印加部３２が印加する交流電圧の周波数、および、プロジェクター３１におけるフレーム数の少なくとも一方が変更可能な値であってもよい。言い換えれば、画像表示システム３０は、交流電圧の周波数を変更するための構成、および、フレーム数を変更するための構成との少なくとも一方を有してもよい。こうした構成であっても、交流電圧の周波数と、フレームの周波数とが互いに異なる値であれば、上述した（７）と同等の効果を得ることはできる。
【０１３８】
・プロジェクションスクリーン１０，２０の裏面１０Ｒ，２０Ｒに、屈折率を調整するための層や、反射防止層を形成してもよい。これにより、プロジェクター３１からプロジェクションスクリーン１０，２０に投射された光の反射、すなわち後方への散乱を抑えることができる。ひいては、プロジェクションスクリーン１０，２０に投射された光を有効に利用すること、および、ゴースト像のない画像を観察者に視認させることができる。
【０１３９】
・プロジェクションスクリーン１０，２０が備える各層の屈折率の差、および、各層の表面の状態などを各層の界面における不要な反射を抑えるように適宜変更してもよい。
【０１４０】
・調光層１２は、所定の色を有する色素であって、調光層１２に印加された交流電圧の大きさに応じた液晶分子１２ｂの運動を妨げない色素を含んでもよい。こうした構成によれば、調光層１２は、所定の色を有することができる。
【０１４１】
・プロジェクションスクリーン１０，２０は、反射型のスクリーンとして用いることも可能である。この場合には、プロジェクションスクリーン１０，２０に対してプロジェクター３１が位置する側が、プロジェクションスクリーン１０，２０の観察側である。反射型のスクリーンでは、プロジェクションスクリーンにおいて、プロジェクターが位置する側とは反対側の面に、プロジェクションスクリーンに入射した光の反射率を高めるための処理を施すことが必要である。例えば、プロジェクターが位置する側とは反対側の面に反射層を形成することが好ましい。
【０１４２】
［ＰＮＬＣの利点］
なお、ＰＮＬＣから形成された調光層を有するプロジェクションスクリーンには、以下に記載のような利点が挙げられる。
プロジェクションスクリーンは、光を拡散する特性が固定された光拡散シートに比べて、電気的に透過状態と散乱状態とを切替えることが可能であり、また、ヘイズの値も多値の間で切替えることが可能である。そのため、プロジェクションスクリーンの視野角特性の変更を可能にすること、プロジェクションスクリーンの散乱性を、外部環境の照度、光の輝度、および、画質に応じた散乱性に瞬時に変更することが可能であり、これにより、好適な状態で、観察者が画像を視認することができる。また、プロジェクションスクリーンによれば、他の液晶から形成される調光層を有した構成と比べて、透過状態と散乱状態との切替えに必要な駆動電圧を低くすることが可能でもある。
【０１４３】
ＰＮＬＣは、ポリマーネットワークを有するために、ドメイン径やドメインが配置される方向が制御されたポリマーネットワークに応じて、プロジェクターの投射した光が効率的に前方に散乱させる。これにより、プロジェクターの投射した光の損失やゴースト像の原因となる後方に散乱される光成分が抑制され、観察者によって視認される画像の明度を高めることができる。
【０１４４】
ＰＮＬＣでは、ＰＮＬＣの形成過程において、液晶分子とポリマーネットワークとを相分離するときに、未反応な成分がほとんど生じず、ポリマーネットワークと液晶分子とが高い純度で明確に分かれる。また、ＰＮＬＣを形成するときには、透明導電層のラビングによってプレチルト角を配向させる処理を行なうことなく、理想的な配向状態を実現することが可能であり、液晶分子はポリマーネットワークによって分割されたドメインごとにほぼ一様に配向する。
【０１４５】
ＰＮＬＣのドメイン径は約１μｍであることが好ましく、これにより、波長による選択的な散乱であるレイリー散乱が生じず、少なくとも可視光領域波長であって、４００ｎｍ以上７８０ｎｍ以下の範囲を含む広い波長域における散乱が効率的に生じる。なお、光拡散シートに含まれる微粒子の直径は、おおよそ２μｍ以上１０μｍ以下であり、ＰＤＬＣにおいて分散したドロップレットの直径は、おおよそ数μｍである。
【０１４６】
以下の理由から、ＰＮＬＣは、高分子分散型カプセル（ＮＣＡＰ：Nematic curvilinear aligned Phase）やＰＤＬＣに比べて、プロジェクションスクリーンとしての好適な光学特性を奏する上で最適な構造であると言える。すなわち、ＰＮＬＣでは、ドメイン径、および、網目状の構造が、ＰＮＬＣのなかにおいて光学的に均一であるため、ドメイン径がばらつきを有するために、ＰＮＬＣの面内において散乱が均一に起こらない、および、液晶層の密度がばらつきを有するために、ＰＮＬＣの面内において散乱が均一に起こらないということが抑えられる。
【０１４７】
ＮＣＡＰやＰＤＬＣでは、これらから射出される光成分に、液晶層内におけるカプセルやドロップレットの界面での反射成分が多く含まれる。こうしたカプセルやドロップレットは、ＰＮＬＣが含むポリマーネットワークに比べて、液晶層から前方に散乱される光成分の強度に影響を及ぼすため、液晶層の面内において光成分の強度にばらつきが生じやすい。
【０１４８】
［プロジェクションスクリーンの適用対象］
・プロジェクションスクリーン１０，２０は、液晶表示装置（ＬＣＤ）、および、ＤＭＤ（Digital Micro-mirror Device）（テキサス・インスツルメンツ社の登録商標）などの各種光学エンジンを備えるプロジェクターからの画像を投影するプロジェクションテレビに適用することができる。プロジェクションスクリーン１０，２０は、透過型のプロジェクションテレビと、反射型のプロジェクションテレビとの両方に適用することができる。なお、透過型は、投影型、背面投射型、および、リア型などとも称され、反射型はフロント型などとも称される。
【０１４９】
・プロジェクションスクリーン１０，２０は、フルＨＤ（１９２０×１０８０）、４Ｋ（３８４０×２１６０）、８Ｋ（７６８０×４３２０）、または、これら以上の多数の画素を有する高精細かつ高解像度のプロジェクター３１を備える画像表示システム３０に適用されることが好適である。
【０１５０】
・プロジェクションスクリーン１０，２０は、カーテン、ブラインド、および、障子などの機能を有する間仕切りとして兼用することも可能である。プロジェクションスクリーン１０，２０によれば、プロジェクションスクリーン１０，２０の使用される状態を以下のように変更することができる。
【０１５１】
（Ａ）調光層１２が第２状態であることによって、プロジェクションスクリーン１０，２０を介してプロジェクションスクリーン１０，２０によって間仕切りされた空間の内部を視認することが可能な状態にすること
（Ｂ）調光層１２が第１状態であることによって、プロジェクションスクリーン１０，２０によって間仕切りされた空間を外部から隠蔽すること
（Ｃ）調光層１２が第１状態であるときに、プロジェクター３１から光を投影して画像を表示させること
【０１５２】
そのため、こうしたプロジェクションスクリーン１０，２０を例えばショーウィンドウに適用することによって、ショーウィンドウのアイキャッチ効果を高めることができる。
【符号の説明】
【０１５３】
１０，２０…プロジェクションスクリーン、１０Ｆ，１２Ｆ，２０Ｆ…表面、１０Ｒ，１２Ｒ，２０Ｒ…裏面、１１…透明導電層、１１ａ…第１透明導電層、１１ｂ…第２透明導電層、１２…調光層、１２ａ…ポリマーネットワーク、１２ｂ…液晶分子、１２ｃ…ドメイン、１３…透明基材、１３ａ…第１透明基材、１３ｂ…第２透明基材、１４ａ…第１導電フィルム、１４ｂ…第２導電フィルム、２１…配向層、２１ａ…第１配向層、２１ｂ…第２配向層、３０…画像表示システム、３１…プロジェクター、３２…電圧印加部、３３…制御部、４１…スイッチ、４２…変調部、４３…交流電源、ＢＬｐ…投影基準面、ＢＬｓ…視野基準面、Ｐｏｂ…観察面、Ｐｐｒｏ…投影面、θｐｒｏ…投影角、θｖａ…視野角。
【図１】
2017223950.tif 000003
【図２】
2017223950.tif 000004
【図３】
2017223950.tif 000005
【図４】
2017223950.tif 000006
【図５】
2017223950.tif 000007
【図６】
2017223950.tif 000008
【図７】
2017223950.tif 000009
【図８】
2017223950.tif 000010
【図９】
2017223950.tif 000011
【図１０】
2017223950.tif 000012
【図１１】
2017223950.tif 000013
【図１２】
2017223950.tif 000014
【図１３】
2017223950.tif 000015
【図１４】
2017223950.tif 000016
【図１５】
2017223950.tif 000017
【図１６】
2017223950.tif 000018
【図１７】
2017223950.tif 000019